【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
表面を備える基材を備える接着物品であって、該基材表面は該表面から伸びる微細突起を備え、そして、該表面、微細突起、もしくはそれらの組み合わせの少なくとも一部分が該突起の存在を有意に損なわない接着剤によって被覆され、該物品の９０度引張接着強度が少なくとも約１．０、１．２５、もしくは１．５Ｎ／ｃｍ２である、物品。
【請求項２】
請求項１に記載の物品であって、前記基材が１つ以上の生分解性材料、１つ以上の非生分解性材料、もしくはその組み合わせを含む、物品。
【請求項３】
請求項１もしくは２に記載の物品であって、前記１つ以上の生分解性材料は、脂肪族ポリエステル、ポリ（アミノ酸）、ポリ（エーテル−エステル）、ポリアルキレンシュウ酸、ポリ（カーボネート）、ポリ（イミノカーボネート）、ポリ（オルトエステル）、ポリ（オキサエステル）、ポリ（アミドエステル）、ポリ（無水物）、ポリホスファゼン、ポリ（乳酸−ｃｏ−グリコール酸）（ＰＬＧＡ）、ポリカプロラクトン（ＰＣＬ）、ポリグリコリド（ＰＧＡ）、ポリ乳酸（ＰＬＡ）、ポリ−３−ヒドロキシ酪酸（ＰＨＢ）、スター型ポリカプロラクトン−ｃｏ−Ｄ，Ｌ−乳酸、ポリ（トリメチルカーボネート−ｃｏ−カプロラクトン）、ポリ（エチレングリコール）（ＰＥＧ）、ポリウレタン、パリレン−Ｃ、ポリ（クエン酸−ジオール）、ヒアルロン酸、コラーゲン、エラスチン、ラミニン、ゼラチン、硫酸コンドロイチン、デキストラン、キトサン、アルギン酸、ケラチン、アガロース、もしくはそれらの組み合わせからなる群から選択される、物品。
【請求項４】
請求項１〜３のいずれかに記載の物品であって、前記１つ以上の非生分解性材料は、アクリル、ブチルゴム、エチルビニルアセテート、ポリ（アミドイミド）、ポリ（エーテルケトン）、ポリカーボネート、ポリオレフィン（例えば、ポリエチレンおよびポリプロピレン）、ポリブチレンテレフタレート、ポリジメチルシロキサン（ＰＤＭＳ）、ポリエチレンテレフタレート、ポリアミド、フッ化ポリビニリデン、ポリアクリレート（例えば、ポリメタクリル酸メチルおよびポリメタクリル酸ヒドロキシエチル）、ポリアクリルアミド（例えば、ポリ（Ｎ−イソプロピルアクリルアミド））、ポリビニルアルコール、およびそれらの組み合わせからなる群より選択される、物品。
【請求項５】
請求項１〜４のいずれかに記載の物品であって、前記基材は全部もしくは部分的に生分解性である、物品。
【請求項６】
請求項５に記載の物品であって、前記基材は全部もしくは部分的にポリカプロラクトンを含有する、物品。
【請求項７】
請求項１〜６のいずれかに記載の物品であって、前記微細突起の高さが約１０ミクロンより大きい、物品。
【請求項８】
請求項７に記載の物品であって、前記微細突起が約１１から約２０ミクロンの高さを有する、物品。
【請求項９】
請求項８に記載の物品であって、前記微細突起の高さが約１９ミクロンである、物品。
【請求項１０】
請求項１〜９のいずれかに記載の物品であって、前記微細突起は約３ミクロンから約７ミクロンの底面直径を有する、物品。
【請求項１１】
請求項１０に記載の物品であって、前記微細突起の底面直径は約５ミクロンである、物品。
【請求項１２】
請求項１〜１１のいずれかに記載の物品であって、前記微細突起の間の中心から中心までの距離が約５ミクロンから約２０ミクロン、好ましくは約５ミクロンから約１５ミクロン、好ましくは約１０ミクロンである、物品。
【請求項１３】
請求項１〜１２のいずれかに記載の物品であって、前記微細突起のアスペクト比が７より小さい、６より小さい、５より小さい、４より小さい、３より小さい、もしくは２より小さい、好ましくは約４より小さい、物品。
【請求項１４】
請求項１〜１３のいずれかに記載の物品であって、前記接着剤がシアノアクリレート、アルデヒド接着剤、アクリレート接着剤；ウレタン接着剤、ヒドロキシスクシンイミド接着剤、カテコール含有接着剤、およびその組み合わせからなる群より選択される、物品。
【請求項１５】
請求項１４に記載の物品であって、前記接着剤がシアノクリレートを含有する、物品。
【請求項１６】
請求項１、１４もしくは１５に記載の物品であって、前記微細突起の基部における前記被覆の厚さが約１ミクロンから約５ミクロンである、物品。
【請求項１７】
請求項１６に記載の物品であって、前記被覆の厚さが約２．５ミクロンである、物品。
【請求項１８】
請求項１〜１７のいずれかに記載の物品であって、前記９０度引張接着強度が少なくとも約１．７５、２．０、２．２５、２．５０、２．７５、３．０、３．２５、３．５、３．７５もしくは４．０Ｎ／ｃｍ２である、物品。
【請求項１９】
請求項１〜１８のいずれかに記載の物品であって、前記物品が生体適合性である、物品。
【請求項２０】
請求項１〜１９のいずれかに記載の物品であって、前記接着剤が、１．０Ｎ／ｃｍ２より大きい９０度引張接着強度を得るための有効量を単独で組織にアプライされた場合に毒性および／もしくは有害副作用を示す、物品。
【請求項２１】
請求項１〜２０のいずれかに記載の物品であって、１．０Ｎ／ｃｍ２より大きい９０度引張接着強度を維持しながら、前記微細突起の被覆としてアプライされた場合に前記接着剤の前記毒性および／もしくは有害副作用が減少する、物品。
【請求項２２】
請求項１〜２１のいずれかに記載の物品であって、前記物品はテープもしくはパッチである、物品。
【請求項２３】
請求項１〜２２のいずれかに記載の物品であって、前記物品はさらに、適用の前に接着剤層を保護するために接着剤の上を覆う犠牲層を備える、物品。
【請求項２４】
請求項１〜２３のいずれかに記載の物品であって、前記物品はさらに、１つ以上の治療用薬剤、予防用薬剤、診断用薬剤、栄養補助食品、もしくはその組み合わせを含有する、物品。
【請求項２５】
請求項１〜２４のいずれかに記載の物品であって、前記物品が組織と接触されることを特徴とする物品。
【請求項２６】
請求項２５に記載の物品であって、前記組織はインビボで接触される、物品。
【請求項２７】
請求項１〜２４のいずれかに記載の物品を医療用装置と接触させることを包含する方法。
【手続補正２】
【補正対象書類名】明細書
【補正対象項目名】００１４
【補正方法】変更
【補正の内容】
【００１４】
本明細書で記載される物品は、少なくとも約１．０、１．２５もしくは１．５Ｎ／ｃｍ２の９０度引張接着を示す。本明細書で記載される物品は、接着剤がマイクロトポグラフィなしで単独で用いられた場合より少ない接着剤を含有することができ、そして、接着剤単独での臨床的有効量と比較して毒性および／もしくは炎症または他の有害副作用はほとんど無いか、もしくは無くなるが、それでも同等のもしくは改善された接着強度を示すことができる。いくつかの実施態様では、接着システムは、急性の毒性および／もしくは炎症（例えば、適用の時点もしくは直後）または慢性の毒性および／もしくは炎症（例えば、適用の後の長期間の時間後）を示さない。
本発明は、例えば、以下の項目も提供する。
（項目１）
表面を備える基材を備える接着物品であって、該基材表面は該表面から伸びる微細突起を備え、そして、該表面、微細突起、もしくはそれらの組み合わせの少なくとも一部分が該突起の存在を有意に損なわない接着剤によって被覆され、該物品の９０度引張接着強度が少なくとも約１．０、１．２５、もしくは１．５Ｎ／ｃｍ２である、物品。
（項目２）
項目１に記載の物品であって、前記基材が１つ以上の生分解性材料、１つ以上の非生分解性材料、もしくはその組み合わせを含む、物品。
（項目３）
項目１もしくは２に記載の物品であって、前記１つ以上の生分解性材料は、脂肪族ポリエステル、ポリ（アミノ酸）、ポリ（エーテル−エステル）、ポリアルキレンシュウ酸、ポリ（カーボネート）、ポリ（イミノカーボネート）、ポリ（オルトエステル）、ポリ（オキサエステル）、ポリ（アミドエステル）、ポリ（無水物）、ポリホスファゼン、ポリ（乳酸−ｃｏ−グリコール酸）（ＰＬＧＡ）、ポリカプロラクトン（ＰＣＬ）、ポリグリコリド（ＰＧＡ）、ポリ乳酸（ＰＬＡ）、ポリ−３−ヒドロキシ酪酸（ＰＨＢ）、スター型ポリカプロラクトン−ｃｏ−Ｄ，Ｌ−乳酸、ポリ（トリメチルカーボネート−ｃｏ−カプロラクトン）、ポリ（エチレングリコール）（ＰＥＧ）、ポリウレタン、パリレン−Ｃ、ポリ（クエン酸−ジオール）、ヒアルロン酸、コラーゲン、エラスチン、ラミニン、ゼラチン、硫酸コンドロイチン、デキストラン、キトサン、アルギン酸、ケラチン、アガロース、もしくはそれらの組み合わせからなる群から選択される、物品。
（項目４）
項目１〜３のいずれかに記載の物品であって、前記１つ以上の非生分解性材料は、アクリル、ブチルゴム、エチルビニルアセテート、ポリ（アミドイミド）、ポリ（エーテルケトン）、ポリカーボネート、ポリオレフィン（例えば、ポリエチレンおよびポリプロピレン）、ポリブチレンテレフタレート、ポリジメチルシロキサン（ＰＤＭＳ）、ポリエチレンテレフタレート、ポリアミド、フッ化ポリビニリデン、ポリアクリレート（例えば、ポリメタクリル酸メチルおよびポリメタクリル酸ヒドロキシエチル）、ポリアクリルアミド（例えば、ポリ（Ｎ−イソプロピルアクリルアミド））、ポリビニルアルコール、およびそれらの組み合わせからなる群より選択される、物品。
（項目５）
項目１〜４のいずれかに記載の物品であって、前記基材は全部もしくは部分的に生分解性である、物品。
（項目６）
項目５に記載の物品であって、前記基材は全部もしくは部分的にポリカプロラクトンを含有する、物品。
（項目７）
項目１〜６のいずれかに記載の物品であって、前記微細突起の高さが約１０ミクロンより大きい、物品。
（項目８）
項目７に記載の物品であって、前記微細突起が約１１から約２０ミクロンの高さを有する、物品。
（項目９）
項目８に記載の物品であって、前記微細突起の高さが約１９ミクロンである、物品。
（項目１０）
項目１〜９のいずれかに記載の物品であって、前記微細突起は約３ミクロンから約７ミクロンの底面直径を有する、物品。
（項目１１）
項目１０に記載の物品であって、前記微細突起の底面直径は約５ミクロンである、物品。
（項目１２）
項目１〜１１のいずれかに記載の物品であって、前記微細突起の間の中心から中心までの距離が約５ミクロンから約２０ミクロン、好ましくは約５ミクロンから約１５ミクロン、好ましくは約１０ミクロンである、物品。
（項目１３）
項目１〜１２のいずれかに記載の物品であって、前記微細突起のアスペクト比が７より小さい、６より小さい、５より小さい、４より小さい、３より小さい、もしくは２より小さい、好ましくは約４より小さい、物品。
（項目１４）
項目１〜１３のいずれかに記載の物品であって、前記接着剤がシアノアクリレート、アルデヒド接着剤、アクリレート接着剤；ウレタン接着剤、ヒドロキシスクシンイミド接着剤、カテコール含有接着剤、およびその組み合わせからなる群より選択される、物品。
（項目１５）
項目１４に記載の物品であって、前記接着剤がシアノクリレートを含有する、物品。
（項目１６）
項目１、１４もしくは１５に記載の物品であって、前記微細突起の基部における前記被覆の厚さが約１ミクロンから約５ミクロンである、物品。
（項目１７）
項目１６に記載の物品であって、前記被覆の厚さが約２．５ミクロンである、物品。
（項目１８）
項目１〜１７のいずれかに記載の物品であって、前記９０度引張接着強度が少なくとも約１．７５、２．０、２．２５、２．５０、２．７５、３．０、３．２５、３．５、３．７５もしくは４．０Ｎ／ｃｍ２である、物品。
（項目１９）
項目１〜１８のいずれかに記載の物品であって、前記物品が生体適合性である、物品。
（項目２０）
項目１〜１９のいずれかに記載の物品であって、前記接着剤が、１．０Ｎ／ｃｍ２より大きい９０度引張接着強度を得るための有効量を単独で組織にアプライされた場合に毒性および／もしくは有害副作用を示す、物品。
（項目２１）
項目１〜２０のいずれかに記載の物品であって、１．０Ｎ／ｃｍ２より大きい９０度引張接着強度を維持しながら、前記微細突起の被覆としてアプライされた場合に前記接着剤の前記毒性および／もしくは有害副作用が減少する、物品。
（項目２２）
項目１〜２１のいずれかに記載の物品であって、前記物品はテープもしくはパッチである、物品。
（項目２３）
項目１〜２２のいずれかに記載の物品であって、前記物品はさらに、適用の前に接着剤層を保護するために接着剤の上を覆う犠牲層を備える、物品。
（項目２４）
項目１〜２３のいずれかに記載の物品であって、前記物品はさらに、１つ以上の治療用薬剤、予防用薬剤、診断用薬剤、栄養補助食品、もしくはその組み合わせを含有する、物品。
（項目２５）
項目１〜２４のいずれかに記載の物品を組織と接触させることを包含する方法。
（項目２６）
項目２５に記載の方法であって、前記組織はインビボで接触される、方法。
（項目２７）
項目１〜２４のいずれかに記載の物品を医療用装置と接触させることを包含する方法。